(57)【要約】【課題】分割型のフライパンにおいて、ヘラなどの調理用具を使用して調理を行う際の調理容易性を向上させるフライパンを提供する。【解決手段】フライパン（１０００)は、フライパン本体（１１００）と、フライパン本体（１１００）の外面においてフライパン本体（１１００）に取り付けられた把手（１２００）と、からなり、把手が延びる方向と同一の方向に延びる少なくともＮ個（Ｎは２以上の正の整数）の仕切り壁（１３１０，１３２０）を備え、仕切り壁はフライパン本体（１１００）の内面に沿って取り付けられ、フライパン本体（１１００）の内部を（Ｎ＋１）個に分割する。フライパン本体（１１００）の外形は正方形または長方形である。【選択図】図１
0003165411.tif 000002
【実用新案登録請求の範囲】
【請求項１】
フライパン本体と、前記フライパン本体の外面において前記フライパン本体に取り付けられた把手と、からなるフライパンにおいて、
前記把手が延びる方向と同一の方向に延びる少なくともＮ個（Ｎは２以上の正の整数）の仕切り壁を備えており、
前記仕切り壁は前記フライパン本体の内面に沿って取り付けられ、前記フライパン本体の内部を（Ｎ＋１）個に分割するものであり、
前記フライパン本体の外形は正方形または長方形であることを特徴とするフライパン。
【請求項２】
（Ｎ＋１）個に分割された前記フライパン本体の分割領域の少なくとも一つには、その底面に波形の凹凸が形成されていることを特徴とする請求項１に記載のフライパン。
【請求項３】
（Ｎ＋１）個に分割された前記フライパン本体の分割領域の少なくとも一つは、前記把手が延びる方向と同一の方向における長さに関して、他の分割領域と異なる長さを有することを特徴とする請求項１または２に記載のフライパン。
【考案の詳細な説明】
【技術分野】
【０００１】
本考案は、フライパン、特に、内部が複数の領域に仕切られている分割型のフライパンに関する。
【背景技術】
【０００２】
近年、調理の多様性に対応して、内部が複数個の領域に分割されているフライパンが提案されており、そのようなフライパンの一つとして実用新案登録第３１５９２８８号公報に記載されたものがある。
【０００３】
図５は上記公報に記載されたフライパンの斜視図である。
【０００４】
図５に示す従来のフライパン１００は、フライパン本体１１０と、フライパン本体１１０の外面においてフライパン本体１１０に取り付けられた把手１２０と、２個の仕切り壁１３１、１３２と、から構成されている。
【０００５】
フライパン本体１１０の周壁は全体としてはほぼ長円形をなしているが、周壁の一部として、把手１２０が延びる方向と直交する方向に延び、かつ、相互に平行に対向する一対の側壁１１１、１１２を備えている。
【０００６】
２個の仕切り壁１３１、１３２の各々は把手１２０が延びる方向と同一の方向に延びており、一対の側壁１１１、１１２の間において、フライパン本体１１０の内面に沿って取り付けられている。
【０００７】
２個の仕切り壁１３１、１３２の各々の高さはフライパン本体１１０の周壁の高さの約２／３である。
【０００８】
仕切り壁１３１、１３２の両端は、強度向上のため、幅（把手１２０が延びる方向と直交する方向の長さ）が拡幅されている。
【０００９】
２個の仕切り壁１３１、１３２によって、フライパン本体１１０の内部は３個の領域、すなわち、第一領域１４１、第二領域１４２及び第三領域１４３に分割されている。これら３個の領域１４１、１４２、１４３は把手１２０が延びる方向と直交する方向に並んでいる。
【００１０】
フライパン１００は以下のようにして使用される。
【００１１】
フライパン１００の使用時には、第一領域１４１、第二領域１４２及び第三領域１４３の各々に異なる食材を入れて調理を行うことができる。フライパン１００においては、第一領域１４１、第二領域１４２及び第三領域１４３は全て把手１２０が延びる方向と同一の方向に延び、かつ、把手１２０が延びる方向において他の領域と交差していない。このため、各領域内の食材を混ぜ合わせるために、フライパン１００をスイング（具体的には、食材をフライパン１００の上方にはね上げ、かつ、上下が逆になるように裏返す動作）させたとしても、一の領域内の食材が他の領域に入り込むことはなく、異なる食材同士の混合を防止することができる。
【００１２】
このように、フライパン１００によれば、一の領域内にある食材が他の領域内にある食材と混合することなく、一つの領域内においてのみ、食材を相互に混ぜ合わせる（あるいは、上下を入れ替える）ことが可能になる。
【考案の開示】
【考案が解決しようとする課題】
【００１３】
図５に示した従来のフライパン１００においては、第二領域１４２は長方形形状をなしているのに対して、第一領域１４１及び第三領域１４３は角部が丸くなっている曲線（円弧）を含む形状をなしている。
【００１４】
ここで、例えば、フライパン１００で卵焼きをつくる場合を想定する。
【００１５】
卵焼きをつくる場合、フライパン内に解いた卵を入れ、下半分の部分（フライパンの底面に接している部分）が焼き上がった後に、ヘラなどの調理用具を用いて、卵を裏返す作業を行う。
【００１６】
長方形形状をなしている第二領域１４２は四方を直線状の壁に囲まれているため、例えば、壁に沿ってヘラを卵の中に入れることにより、卵を裏返す作業を容易に行うことができる。
【００１７】
これに対して、曲線を含む形状をなしている第一領域１４１及び第三領域１４３においては、曲線形状の壁に沿ってヘラを卵の中に入れるという作業は極めて行いにくい。このため、第一領域１４１及び第三領域１４３においては、卵を裏返す作業が比較的行いにくい、という問題点が発生していた。
【００１８】
このような問題点は、卵焼きにおける卵を裏返す作業のみならず、ヘラなどの調理用具を使用して調理を行う場合に共通する問題点である。
【００１９】
本考案はこのような従来のフライパン１００における問題点に鑑みてなされたものであり、分割型のフライパンにおいて、ヘラなどの調理用具を使用して調理を行う際の調理容易性を向上させるフライパンを提供することを目的とする。
【課題を解決するための手段】
【００２０】
以下に、「考案を実施するための最良の形態」において使用される参照符号を用いて、上述の課題を解決するための手段を説明する。これらの参照符号は、「実用新案登録請求の範囲」の記載と「考案を実施するための最良の形態」の記載との間の対応関係を明らかにするためにのみ付加されたものであり、「実用新案登録請求の範囲」に記載されている考案の技術的範囲の解釈に用いるべきものではない。
【００２１】
上記の目的を達成するため、本考案は、フライパン本体（１１００）と、前記フライパン本体（１１００）の外面において前記フライパン本体（１１００）に取り付けられた把手（１２００）と、からなるフライパン（１０００）において、前記把手（１２００）が延びる方向と同一の方向に延びる少なくともＮ個（Ｎは２以上の正の整数）の仕切り壁（１３１０、１３２０）を備えており、前記仕切り壁（１３１０、１３２０）は前記フライパン本体（１１００）の内面に沿って取り付けられ、前記フライパン本体（１１００）の内部を（Ｎ＋１）個に分割するものであり、前記フライパン本体（１１００）の外形は正方形または長方形であることを特徴とするフライパン（１０００）を提供する。
【００２２】
本発明に係るフライパン（２０００）においては、（Ｎ＋１）個に分割された前記フライパン本体（１１００）の分割領域の少なくとも一つには、その底面に波形の凹凸（２１００）が形成されていることが好ましい。
【００２３】
本発明に係るフライパン（３０００）においては、（Ｎ＋１）個に分割された前記フライパン本体（１１００）の分割領域の少なくとも一つは、前記把手（１２００）が延びる方向と同一の方向における長さに関して、他の分割領域と異なる長さを有することが好ましい。
【考案の効果】
【００２４】
フライパン本体は正方形または長方形形状をなしているため、フライパン本体の内部を（Ｎ＋１）個に分割した各領域は長方形形状をなしている。図５に示した従来のフライパン１００においては、曲線を含む形状をなしている第一領域１４１及び第三領域１４３において、曲線形状の壁に沿ってヘラを卵の中に入れるという作業は極めて行いにくい、という問題点が発生していたが、本考案に係るフライパンにおいては、各領域はいずれも長方形状をなしているため、このような問題点が発生することはない。すなわち、長方形形状をなしている各領域は四方を直線状の壁に囲まれているため、壁に沿ってヘラを卵の中に入れる作業を容易に行うことができ、ひいては、卵を裏返す作業を容易に行うことが可能である。
【図面の簡単な説明】
【００２５】
【図１】図１は本考案の第一の実施形態に係るフライパンの斜視図である。
【図２】図２は本考案の第二の実施形態に係るフライパンの斜視図である。
【図３】図３は図２のＡ−Ａ線における断面図である。
【図４】図４は本考案の第三の実施形態に係るフライパンの斜視図である。
【図５】従来のフライパンの斜視図である。
【考案を実施するための最良の形態】
【００２６】
（第一の実施形態）
図１は本考案の第一の実施形態に係るフライパン１０００の斜視図である。
【００２７】
本実施形態に係るフライパン１０００は、フライパン本体１１００と、フライパン本体１１００の外面においてフライパン本体１１００に取り付けられた把手１２００と、２個の仕切り壁１３１０、１３２０と、から構成されている。
【００２８】
フライパン本体１１００の周壁（外形）は全体としては長方形をなしている。
【００２９】
２個の仕切り壁１３１０、１３２０の各々は把手１２００が延びる方向と同一の方向に延びており、フライパン本体１１０の内面に沿って取り付けられている。
【００３０】
２個の仕切り壁１３１０、１３２０の各々の高さはフライパン本体１１００の周壁の高さの約２／３である。
【００３１】
２個の仕切り壁１３１０、１３２０によって、フライパン本体１１００の内部は３個の領域、すなわち、第一領域１４１０、第二領域１４２０及び第三領域１４３０に等分割されている。これら３個の分割領域１４１０、１４２０、１４３０は把手１２００が延びる方向と直交する方向に並んでいる。
【００３２】
フライパン本体１１００は長方形形状をなしているため、フライパン本体１１００の内部を３分割した第一領域１４１０、第二領域１４２０及び第三領域１４３０も同様に長方形形状をなしている。
【００３３】
図５に示した従来のフライパン１００においては、曲線を含む形状をなしている第一領域１４１及び第三領域１４３において、曲線形状の壁に沿ってヘラを卵の中に入れるという作業は極めて行いにくい、という問題点が発生していたが、本実施形態に係るフライパン１０００においては、第一領域１４１０、第二領域１４２０及び第三領域１４３０の各領域はいずれも長方形状をなしているため、このような問題点が発生することはない。
【００３４】
すなわち、長方形形状をなしている第一領域１４１０、第二領域１４２０及び第三領域１４３０の各領域は四方を直線状の壁に囲まれているため、壁に沿ってヘラを卵の中に入れる作業を容易に行うことができ、ひいては、卵を裏返す作業を容易に行うことが可能である。
【００３５】
なお、本実施形態に係るフライパン１０００の構造は上記の構造に限定されるものではなく、種々の改変が可能である。
【００３６】
例えば、本実施形態に係るフライパン１０００においては、フライパン本体１１０の形状は長方形とされているが、フライパン本体１１０の形状は長円形には限定されず、正方形とすることも可能である。
【００３７】
また、本実施形態に係るフライパン１０００においては、仕切り壁１３１０、１３２０の高さはフライパン本体１１００の周壁の高さの約２／３とされているが、仕切り壁１３１０、１３２０の高さはこれには限定されない。例えば、仕切り壁１３１０、１３２０の高さはフライパン本体１１００の周壁の高さに等しく設定してもよく、あるいは、フライパン本体１１００の周壁の高さよりも高くすることも可能である。さらには、必要に応じて、仕切り壁１３１０の高さと仕切り壁１３２０の高さを相互に異なるように設定することも可能である。
【００３８】
また、本実施形態に係るフライパン１０００は２個の仕切り壁１３１０、１３２０を有するものとして構成されているが、フライパン１０００が有し得る仕切り壁の数は２には限定されない。仕切り壁の数として、２以上の任意の数を選択することができる。
【００３９】
（第二の実施形態）
図２は本考案の第二の実施形態に係るフライパン２０００の斜視図であり、図３は図２のＡ−Ａ線における断面図である。
【００４０】
本実施形態に係るフライパン２０００においては、第二領域１４２０の底面に波形の凹凸形状２１００（図３参照）が形成されている。第二領域１４２０の底面に波形の凹凸形状２１００が形成されている点を除いて、本実施形態に係るフライパン２０００は第一の実施形態に係るフライパン１０００と同一の構造を有している。
【００４１】
このように、第二領域１４２０の底面に波形の凹凸形状２１００を形成することにより、第二領域１４２０において、卵を焼いた場合に、卵を裏返すことをより容易に行うことが可能になる。
【００４２】
なお、本実施形態に係るフライパン２０００においては、第二領域１４２０にのみ、その底面に凹凸形状２１００が形成されているが、他の二つの領域１４１０、１４３０の何れかあるいは双方にも底面に凹凸形状２１００を形成することは可能である。
【００４３】
（第三の実施形態）
図４は本考案の第三の実施形態に係るフライパン３０００の斜視図である。
【００４４】
本実施形態に係るフライパン３０００においては、３つの領域１４１０、１４２０、１４３０のうち、中央の第二領域１４２０は、把手１２００が延びる方向と同一の方向において、他の領域１４１０、１４３０よりも長く形成されている。すなわち、第二領域１４２０のみが他の領域１４１０、１４３０よりも延長して形成されている。この点を除いて、本実施形態に係るフライパン３０００は第一の実施形態に係るフライパン１０００と同一の構造を有している。
【００４５】
このため、フライパン本体１１００の外形は、全体として、「凸」の字の形状をなしている。
【００４６】
このように、中央の領域である第二領域１４２０を他の二つの領域１４１０、１４３０よりも延長して形成することにより、調理すべき食材の量が多いときに、中央の第二領域１４２０をその食材の調理用として用いることができる。
【００４７】
本実施形態に係るフライパン３０００においては、中央の第二領域１４２０が第一領域１４１０及び第三領域１４３０よりも長く形成されているが、第一領域１４１０及び第三領域１４３０の何れか一方または双方を第二領域１４２０よりも長く形成することも可能である。
【００４８】
また、長さを延長する分割領域の数は１に限定されるものではなく、フライパン本体１１００の分割数に応じて、任意の数を選択することができる。
【００４９】
すなわち、（Ｎ＋１）個（Ｎは２以上の正の整数）に分割されたフライパン本体１１００の分割領域の少なくとも一つが、把手１２００が延びる方向と同一の方向における長さに関して、他の分割領域と異なる長さを有するものである限りにおいて、長さを延長する分割領域の選定及び長さを延長する分割領域の数は任意に決定することが可能である。
【符号の説明】
【００５０】
１０００  本考案の第一の実施形態に係るフライパン
１１００  フライパン本体
１２００  把手
１３１０、１３２０  仕切り壁
１４１０  第一領域
１４２０  第二領域
１４３０  第三領域
２０００  本考案の第二の実施形態に係るフライパン
２１００  凹凸形状
３０００  本考案の第三の実施形態に係るフライパン
【図１】
0003165411.tif 000003
【図３】
0003165411.tif 000004
【図４】
0003165411.tif 000005
【図５】
0003165411.tif 000006
【図２】
0003165411.tif 000007